(57)【要約】【課題】飲料抽出ポット、電気ポット、コードレス電気ポットを提供する。【解決手段】  飲料抽出ポットは、ポット体を具え、ポット体内底面上の内容器を具え、内容器上端口部に漏斗を具え、漏斗中に下濾過層と上濾過層を設ける。飲料抽出電気ポットは飲料抽出ポットに電熱装置を増設して形成する。飲料抽出コードレス電気ポットは、飲料抽出電気ポットにポット台座を増設し、ポット体とポット台座に電気接続プラグとソケットを設置して形成する。内容器を加熱することによって内容器中の水が沸騰して上に流れ、漏斗中のコーヒー粉や茶葉を抽出してコーヒーや茶を形成する。これによりコーヒーや茶をコーヒー粉や茶葉の出し殻と分離し、飲用に便利で、飲料の風味を保つことができ、使用者も火傷しにくい。
2006525828.tif 000002
【特許請求の範囲】
【請求項１】
飲料抽出ポットは、ポット体１を具え、ポット体１内の底面１０上に内容器６を設け、該内容器６の上端口部に漏斗７を設け、漏斗７中に下濾過層８と上濾過層９を設けて成ることを特徴とする飲料抽出ポット。
【請求項２】
上濾過層９は内容器６上端口部を覆う蓋２４の蓋面上に設置して成ることを特徴とする請求項１記載の飲料抽出ポット。
【請求項３】
下濾過層８と上濾過層９は金属網であるようにして成ることを特徴とする請求項１記載の飲料抽出ポット。
【請求項４】
飲料抽出電気ポットは、ポット体１、ポット体１に設置した電熱装置２を具え、ポット体１の底面１０上に内容器６を設け、内容器６の上端口部に漏斗７を設け、漏斗７中に下濾過層８を設け、上端口部上に上濾過層９を設けて成ることを特徴とする飲料抽出電気ポット。
【請求項５】
電熱装置２は内容器６の内底面２６部分に設置して成ることを特徴とする請求項４記載の飲料抽出電気ポット。
【請求項６】
ポット体１と内容器６のと間の外底面２７部分に補助電熱装置を設けて成ることを特徴とする請求項５記載の飲料抽出電気ポット。
【請求項７】
内底面２６上に空焚き温度制御装置１１を設けて成ることを特徴とする請求項４、請求項５または請求項６記載の飲料抽出電気ポット。
【請求項８】
空焚き温度制御装置１１は、底面１０に接して設けた空焚き感熱バイメタル１３、電熱装置２の回路中に直列接続した固定接片１６と可動接片１７、可動接片１７と空焚き感熱バイメタル１３の間に設けた空焚き弾接柱１８１を具えて成ることを特徴とする請求項７記載の飲料抽出電気ポット。
【請求項９】
内底面２６上に温超温度制御装置２８を設けて成ることを特徴とする請求項７記載の飲料抽出電気ポット。
【請求項１０】
温超温度制御装置２８は頂部にかしめた金属片１８上にバネ板１９を設け、バネ板１９のアーム上に金属片１８上にかしめた低温溶点リベット２０を設け、電熱装置２回路中に直列接続した固定接片１６と可動接片１８を具え、可動接片１７とバネ板１９のアームとの間に溶断弾接柱２１を設けて成ることを特徴とする請求項９記載の飲料抽出電気ポット。
【請求項１１】
外底面２７上に保温温度制御装置１２を設けて成ることを特徴とする請求項７記載の飲料抽出電気ポット。
【請求項１２】
保温温度制御装置１２は底面１０に接して設けた保温感熱バイメタル２２を具え、電熱装置２に直列接続した固定接片１６ａと可動接片１７ａを具え、可動接片１７ａと保温感熱バイメタル２２との間に保温弾接柱２３を設けて成ることを特徴とする請求項１１記載の飲料抽出電気ポット。
【請求項１３】
上濾過層９は内容器６上端口部を覆う蓋２４の蓋面に設置して成ることを特徴とする請求項４、請求項５または請求項６記載の飲料抽出電気ポット。
【請求項１４】
内底面２６から下向きに延伸して外底面２７との間に階段形状を形成して成ることを特徴とする請求項４、請求項５または請求項６記載の飲料抽出電気ポット。
【請求項１５】
飲料抽出コードレス電気ポットは、ポット体１を具え、ポット体１に設置した電熱装置を具え、ポット体１を受けるポット台座３を具え、ポット体１とポット台座３に設置した電気接続プラグ４とソケット５を具え、ポット体１内側の底面１０上に内容器６を設け、内容器６の上端口部に漏斗６を設け、漏斗７中に下濾過層８を設け、上端口部上に上濾過層９を設けて成ることを特徴とする飲料抽出コードレス電気ポット。
【請求項１６】
電熱装置２は内容器６の内底面２６部分に設置して成ることを特徴とする請求項１５記載の飲料抽出コードレス電気ポット。
【請求項１７】
ポット体と内容器６との間の外底面２７部分に補助電熱装置を設けて成ることを特徴とする請求項１６記載の飲料抽出コードレス電気ポット。
【請求項１８】
電気接続プラグ４上に内容器６底面を検知する空焚き温度制御装置１１を設けて成ることを特徴とする請求項１６記載の飲料抽出コードレス電気ポット。
【請求項１９】
空焚き温度制御装置１１は底面１０に接して設置した空焚き感熱バイメタル１３を具え、電気接続プラグ４中に電気接続接片１４と電極１５に接続する固定接片１６と可動接片１７を具え、可動接片１７と空焚き感熱バイメタル１３との間に空焚き弾接柱１８１を設けて成ることを特徴とする請求項１８記載の飲料抽出コードレス電気ポット。
【請求項２０】
電気接続プラグ４上に内容器６底面を検知する温超温度制御装置２８を設けて成ることを特徴とする請求項１８または請求項１９記載の飲料抽出コードレス電気ポット。
【請求項２１】
温超温度制御装置２８は電気接続プラグ４頂部の金属片１８上にかしめたバネ板１９を設け、バネ板１９のアーム上に金属片１８にかしめた低温溶点リベット２０を設け、電気接続プラグ４中に電気接続接片１４と電極１５に接続する固定接片１６と可動接片１７を具え、可動接片１７とバネ板１９のアームとの間に溶断弾接柱２１を設けて成ることを特徴とする請求項２０記載の飲料抽出コードレス電気ポット。
【請求項２２】
外底面２７部分に保温温度制御装置１２を設けて成ることを特徴とする請求項１７、請求項１８または請求項１９記載の飲料抽出コードレス電気ポット。
【請求項２３】
保温温度制御装置１２は底面１０に接して設けた保温感熱バイメタル２２を具え、電気接続プラグ４中に電気接続接片１４と電極１５に接続する固定接片１６と可動接片１７を具え、可動接片１７と保温感熱バイメタル２２との間に保温弾接柱２３を設けて成ることを特徴とする請求項２２記載の飲料抽出コードレス電気ポット。
【請求項２４】
上濾過層９は内容器６の上端口部を覆う蓋２４の蓋面に設置して成ることを特徴とする請求項１５、請求項１６、請求項１７、請求項１８または請求項１９記載の飲料抽出コードレス電気ポット。
【請求項２５】
内底面２６から下に延伸して外底面２７と階段形状を形成して成ることを特徴とする請求項１５、請求項１６、請求項１７、請求項１８または請求項１９記載の飲料抽出コードレス電気ポット。
【発明の詳細な説明】
【技術分野】
【０００１】
本発明はポットに関し、特に飲料抽出ポット、電気ポット、コードレス電気ポットに関する。
【背景技術】
【０００２】
公知のポットはポット体を具え、沸かす際にはこれをコンロの上に置いて中の水を沸かした。コーヒーや茶を入れるときはコーヒー粉をポット体の中に入れて抽出すると、飲料を注ぐときにコーヒー粉も飲料と一緒に流れ出てしまい、特に、ポットの湯が揺れている状態では、コーヒー粉が飲料に混ざり、更に、これらの粉が多量に飲料と共に流れ出る。
茶葉をポット体中に入れると、茶葉が熱湯に浸されていっぱいに開き、茶を注ぎ出すときに出口をふさいでしまい、茶が注ぎにくくなる。また、コーヒー粉や茶葉は長時間熱湯に浸すとコーヒーや茶が濃くなり過ぎてしまう。ポット体中でコーヒー粉や茶葉で淹れた飲料をカップに注いでおけば、飲料はすぐに冷めてしまい、コーヒーや茶の高温状態での香りがなくなる。
電気ポットはポット体を具え、ポット体に設置した電気加熱器は、水とコーヒー粉や茶葉をポット体に入れて加熱煮沸する際に、ポット体外壁の温度が加熱に伴って上昇し、ポット体外壁の温度が１００℃以上に達し、ポット体外壁に触れれば火傷してしまう。ポット体外壁を樹脂で製造すると、長期にわたってポット体外壁が高温状態におかれるため、ポット体外壁の老化損壊をまねきやすい。ポット体外壁を金属で製造すれば、金属を特殊な形状に加工する工程は複雑なため、異なった外形に製造することは難しい。
【発明の開示】
【発明が解決しようとする課題】
【０００３】
本発明は、ポット体中の水が高温の状態にあるときに、自動的に飲料抽出を開始し、使用に便利な飲料抽出ポット、電気ポット及びコードレス電気ポットを提供することを課題とする。
【課題を解決するための手段】
【０００４】
本発明の飲料抽出ポットは、ポット体を具え、ポット体内の底面上に内容器を設け、内容器の上端口部上に漏斗を設け、漏斗中に下濾過層と上濾過層を設ける。
【０００５】
本発明の飲料抽出電気ポットは、ポット体を具え、ポット体に設置した電熱装置を具え、ポット体に設置した電気接続プラグを具え、ポット体の底面上に内容器を設け、内容器の上端口部上に漏斗を設け、漏斗中に下濾過層を設け、上端口部上に上濾過層を設ける。
【０００６】
本発明の飲料抽出コードレス電気ポットは、ポット体を具え、ポット体に設置した電熱装置を具え、ポット体を受けるポット台座を具え、ポット体とポット台座に設置した電気接続プラグとソケットを具え、ポット体内の底面上に内容器を設け、内容器の上端口部上に漏斗を設け、漏斗中に下濾過層を設け、上端口部上に上濾過層を設ける。
【発明の効果】
【０００７】
本発明によれば、ポット体内の底面上に内容器を設けたことにより、水を内容器の中に入れ、内容器を加熱すると、内容器中の水が沸騰して上に向かって沸きだし、上端口部からあふれ出る。
そして、内容器の上端口部に漏斗を設け、沸騰した湯が漏斗の下端から入り、漏斗の上端口部から出る。漏斗の下濾過層と上濾過層の間にコーヒー粉や茶葉を入れれば、沸騰した湯が下から上へ、漏斗の中のコーヒー粉や茶葉を通り、自動抽出の形になり、抽出された茶やコーヒー飲料は内容器とポット体の壁の間に落ち、コーヒー粉や茶葉は下濾過層と上濾過層の間に挟まれて、茶やコーヒー飲料とコーヒー粉や茶葉が分離され、飲用に便利である。ポット体内部の高温は絶えず外へ伝導され、茶やコーヒー飲料をより長い時間高温に保つことができ、飲料の風味が損なわれない。
また、熱源が内容器底部を加熱すると、ポット体外表面は熱源から離れているため温度は高くならず、火傷の原因になりにくい。
【発明を実施するための最良の形態】
【０００８】
図に示すように、本発明でいう飲料抽出ポットは、電気ポット、コードレス電気ポットを含み、ポット体１、電熱装置２、ポット台座３、電気接続プラグ４、ソケット５、内容器６、漏斗７、下濾過層８、上濾過層９、底面１０、空焚き温度制御装置１１、保温温度制御装置１２、蓋２４、補助電熱装置２５、温超温度制御装置２８を具える。
【０００９】
飲料抽出ポットは、図１に示すように、上濾過層９を内容器６上端口部を覆う蓋２４の蓋面に設け、蓋面と漏斗７の辺縁との間に密封パッキン３０を設ける。
下濾過層８と上濾過層９は金属網とする。使用時には、水を内容器６中に入れ、コーヒー粉や茶葉を下濾過層８と上濾過層９の間に置き、ポット体１を火にかけ、火を内容器６の底部に集中させて沸かすと、ポット体１側壁と内容器６外側の間に飲料を生じる。
【００１０】
飲料抽出電気ポットは、図２に示すように、電熱装置２を内容器６の内底面２６部分に設置する。ポット体１と内容器６の間の外底面２７部分に補助電熱装置２５を設ける。
内底面２６部分に空焚き温度制御装置１１を設ける。図６に示すように、空焚き温度制御装置１１は底面１０に接して設けた空焚き感熱バイメタル１３を具え、電熱装置２の回路に固定接片１６と可動接片１７を直列接続し、可動接片１７と空焚き感熱バイメタル１３の間に空焚き弾接柱１８１を設ける。
【００１１】
内底面２６部分に温超温度制御装置２８を設ける。図７に示すように、温超温度制御装置２８は頂部金属片１８にかしめたバネ板１９を具え、バネ板１９のアーム上に金属片１８にかしめた低温溶点リベット２０を設け、電熱装置２の回路に固定接片１６ａと可動接片１７ａを直列接続し、可動接片１７ａとバネ板１９のアームの間に溶断弾接柱２１を設ける。
【００１２】
外底面２７部分に保温温度制御装置１２を設ける。図８に示すように、保温温度制御装置１２は底面１０に接して設けた保温感熱バイメタル２２を具え、電熱装置２の回路に固定接片１６ｂと可動接片１７ｂを直列接続し、可動接片１７ｂと保温感熱バイメタル２２の間に保温弾接柱２３を設ける。
【００１３】
上濾過槽９は内容器６の上端口部を覆う蓋２４の蓋面に設ける。
【００１４】
図４、図５に示すように、内底面２６から下向きに延伸して外底面２７と環状階段形状を形成する。電熱装置２から発生した熱は内容器６内に集中し、内底面２６と外底面２７の間に内容器６底部の壁面が存在するため、内容器６を底面１０上に溶接する際に、内容器６と底面１０の溶接で生じる熱が直接底面１０に伝わらず、内容器６と底面１０の溶接過程で生じる高熱で既に溶接してある底面１０の電熱装置２が脱落するのを避けることができる。
【００１５】
使用時には、水を内容器６中に入れ、コーヒー粉や茶葉を下濾過層８と上濾過層９の間に置き、電熱装置で加熱すると、内容器６底部の温度が上昇し、ポット体１側壁と内容器６外側の間に飲料を生じる。内容器６中の水がなくなると、内容器６底部の温度が上昇し続け、１００℃以上になると、空焚き温度制御装置１１が作動し、空焚きの通電遮断が作動し、電熱装置２は通電が遮断されて過熱を停止する。内容器６に新たに水を入れ、空焚き温度制御装置１１が復位すると、電熱装置２は再度通電加熱し、再度飲料をポット体１側壁と内容器６外側の間に煮出すことができる。
空焚き温度制御装置１１が故障すると、内容器６底部の温度は更に上昇し続け、温超温度制御装置２８が作動し、完全に電源を遮断し、飲料抽出電気ポットを効果的に保護し、過熱による損壊を防ぐ。
そして、内容器中の水が沸騰して上に向かって沸きだし、煮沸して生じた飲料がポット体１内壁と内容器６外壁の間に集積するとき、内容器６内の水は全てなくなり、空焚き温度制御装置１１が電熱装置２の通電を遮断して加熱を停止し、飲料温度が設定温度まで下がると保温温度制御装置１２が作動し、補助電熱装置２５に通電して加熱し、飲料の温度が設定温度まで上昇すると通電を遮断して加熱を停止し、飲料を高い温度に維持して飲料の風味を保つ。
【００１６】
飲料抽出コードレス電気ポットは、図２、図３に示すように、電熱装置２を内容器６の底面部位に設置する。ポット体１と内容器６の間の底面１０部分に補助電熱装置２５を設ける。電気接続プラグ４に内容器６底面を検知する空焚き温度制御装置１１を設ける。電気接続プラグ４に内容器６底面を検知する温超温度制御装置２８を設ける。外底面２７部分に保温温度制御装置１２を設ける。空焚き温度制御装置１１の構造は前述と同様である。温超温度制御装置２８の構造は前述と同様である。保温温度制御装置１２の構造は前述と同様である。
上濾過層９を内容器６上端口部を覆う蓋２４の蓋面に設置する。
【００１７】
図９、図１０、図１１、図１２に示すように、空焚き温度制御装置１１と温超温度制御装置２８は電気接続プラグ４中に設置し、底面１０に接して設けた空焚き感熱バイメタル１３を具え、電気接続プラグ４中に電気接続接片１４と電極１５に接続する固定接片１６と可動接片１７を具え、可動接片１７と空焚き感熱バイメタル１３の間に空焚き弾接柱１８１を設ける。温超温度制御装置２８は電気接続プラグ４頂部の金属片１８にかしめたバネ板１９を具え、バネ板１９のアーム上に金属片１８にかしめた低温溶点リベット２０を具え、電気接続プラグ４中に電気接続接片１４と電極１５に接続する固定接片１６と可動接片１７を具え、可動接片１７とバネ板１９のアームとの間に溶断弾接柱２１を設ける。
【００１８】
外底面２７上に保温温度制御装置１２を設ける。内底面２６から下向きに延伸して外底面２７と階段形状を形成する。
ポット１の下面にポット台座３を設け、ポット１とポット台座３の電気接続プラグ４とソケット５を設けることにより、飲料抽出電気ポットとは異なり電源コードはポット台座３に設けられ、電源は電気接続プラグ４とソケット５を通じてポット体１底部の電熱装置２と補助電熱装置２５に伝わる。
飲料を注ぐ際にポット１にコードがないため、使用に便利である。空焚き温度制御装置１１と温超温度制御装置２８は電気接続プラグ４中に設置して構造をコンパクトにしたため、組立も容易である。
【図面の簡単な説明】
【００１９】
【図１】本発明の飲料抽出ポットの構造略図である。
【図２】本発明の飲料抽出電気ポットの構造略図である。
【図３】底面の構造図である。
【図４】図３を上から見た図である。
【図５】本発明の飲料抽出コードレス電気ポットの構造略図である。
【図６】空焚き温度制御装置の構造略図である。
【図７】温超温度制御装置の構造略図である。
【図８】保温温度制御装置の構造略図である。
【図９】電気接続プラグの構造略図である。
【図１０】図９の立体構造図である。
【図１１】図１０から上部の金属片を取り去った立体構造図である。
【図１２】図１０から樹脂ハウジングを取り去った内部立体構造図である。
【符号の説明】
【００２０】
１    ポット体
２    電熱装置
３    ポット台座
４    電気接続プラグ
５    ソケット
６    内容器
７    漏斗
８    下濾過層
９    上濾過槽
１０  底面
１１  空焚き温度制御装置
１２  保温温度制御装置
１３  空焚き感熱バイメタル
１４  電気接続接片
１５  電極
１６、１６ａ、１６ｂ  固定接片
１７、１７ａ、１７ｂ  可動接片
１８  金属片
１８１ 空焚き弾接柱
１９  バネ板
２０  低温溶点リベット
２１  溶断弾接柱
２２  保温感熱バイメタル
２３  保温弾接柱
２４  蓋
２５  補助電熱装置
２６  内底面
２７  外底面
２８  温超温度制御装置
【図１】
2006525828.tif 000003
【図２】
2006525828.tif 000004
【図３】
2006525828.tif 000005
【図４】
2006525828.tif 000006
【図５】
2006525828.tif 000007
【図６】
2006525828.tif 000008
【図７】
2006525828.tif 000009
【図８】
2006525828.tif 000010
【図９】
2006525828.tif 000011
【図１０】
2006525828.tif 000012
【図１１】
2006525828.tif 000013
【図１２】
2006525828.tif 000014
【国際調査報告】
2006525828.tif 000015
2006525828.tif 000016
2006525828.tif 000017
2006525828.tif 000018
2006525828.tif 000019
2006525828.tif 000020